(57)【要約】【課題】原稿シートを読み取って記録紙に読取画像を画像形成する装置において、読取画像の画質低下を抑制すること。【解決手段】複合機では、記録紙トレイにおいて、長辺が記録主走査方向と平行となる横向きに記録紙が載置されている一方、原稿台において、長辺が読取主走査方向と平行となる横向きと、短辺が読取主走査方向と平行となる縦向きの両方の載置向きに原稿シートＧが載置可能である。この場合において、複合機は、原稿シートが横向きに載置されていることを検出した場合（Ｓ２４：ＹＥＳ）、原稿シートの搬送と読み取り、及び画像形成部での画像形成等を指示する処理（Ｓ２８〜Ｓ３４）を実行し、原稿シートが縦向きに載置されている場合（Ｓ２４：ＮＯ）、原稿シートを横向きに載置するように表示部に表示させる処理（Ｓ２６）を実行する。【選択図】図６
2014168151.tif 000002
【特許請求の範囲】
【請求項１】
記録紙給紙トレイと、
画像形成を行う画像形成部と、
読取主走査方向に読み取る読取部と、
原稿シートの長辺が前記読取主走査方向と平行になる向き、又は、前記原稿シートの短辺が前記読取主走査方向と平行になる向き、のいずれの向きに載置されているかを検出する検出部と、
表示部と、
制御部と、
を備え、
前記記録紙給紙トレイは、長辺が記録主走査方向と平行となる向きに記録紙が載置され、
前記画像形成部は、前記記録紙給紙トレイから記録副走査方向に移動された前記記録紙に対して、前記記録主走査方向に画像形成し、
前記読取部は、読取副走査方向に相対移動された前記原稿シートを読み取り、
前記制御部は、
前記原稿シートの長辺が前記読取主走査方向と平行になる向きに前記原稿シートが載置されていることを検出した場合、前記給紙トレイから前記記録紙を前記記録副走査方向に移動させ、前記読取部が読み取った読取画像を用いて前記記録主走査方向に画像形成を行うよう指示し、
前記原稿シートの短辺が前記読取主走査方向と平行になる向きに前記原稿シートが載置されていることを検出した場合、前記原稿シートの長辺が前記読取主走査方向と平行になる向きに前記原稿シートを載置するように前記表示部に表示させる指示処理、
を実行する、画像処理装置。
【請求項２】
請求項１記載の画像処理装置であって、
前記読取主走査方向は、前記記録副走査方向と平行であり、前記読取副走査方向は、前記記録主走査方向と平行である、画像処理装置。
【請求項３】
請求項１または請求項２に記載の画像処理装置であって、
更に、
供給トレイと、
前記供給トレイに載置された前記原稿シートを搬送経路に沿って搬送する第１搬送部と、
を備え、
前記読取部は、前記第１搬送部によって搬送される前記原稿シートを前記搬送経路上の読取位置で読み取る、画像処理装置。
【請求項４】
請求項１または請求項２に記載の画像処理装置であって、
更に、
表面に前記原稿シートが載置される光透過部材と、
前記読取部を前記読取副走査方向に移動させる第２搬送部と、
を備え、
前記読取部は、前記光透過部材に載置された前記原稿シートを前記読取副走査方向に移動しながら読み取る、画像処理装置。
【請求項５】
請求項１から請求項４のいずれか一項に記載の画像処理装置であって、
更に、
前記読取画像を記憶する記憶部、
を備え、
前記読取部は、前記原稿シートを前記読取副走査方向に複数の読取領域に分割した各読取領域毎に読み取り、
前記画像形成部は、前記各読取領域に対応した各画像形成領域毎に画像形成を行い、
前記制御部は、
更に、
前記指示処理において前記画像形成部に画像形成が指示された場合に、前記各読取領域が読み取られる毎に、対応する前記各画像形成領域の画像形成を前記画像形成部に指示する画像形成処理、
を実行する、画像処理装置。
【請求項６】
請求項１から請求項５のいずれか一項に記載の画像処理装置であって、
前記制御部は、
更に、
動作モードの指示を受け付ける受付処理、
を実行し、
前記受付処理において高速モードの指示を受け付けた場合に、前記指示処理を実行する、画像処理装置。
【請求項７】
記録紙給紙トレイと、
画像形成を行う画像形成部と、
読取主走査方向に読み取る読取部と、
原稿シートの長辺が前記読取主走査方向と平行になる向き、又は、前記原稿シートの短辺が前記読取主走査方向と平行になる向き、のいずれの向きに載置されているかを検出する検出部と、
表示部と、
制御部と、
を備え、
前記記録紙給紙トレイは、長辺が記録主走査方向と平行となる向きに載置される第１サイズの記録紙、及び、短辺が前記記録主走査方向と平行となる向きに載置される第２サイズの記録紙が、載置可能であり、
前記画像形成部は、前記記録紙給紙トレイから記録副走査方向に移動された前記記録紙に対して、前記記録主走査方向に画像形成し、
前記読取部は、読取副走査方向に相対移動された前記原稿シートを読み取り、
前記制御部は、
前記記録紙のサイズを受け付ける受付処理と、
前記第１サイズの記録紙が設定された場合であって、前記原稿シートの長辺が前記読取主走査方向と平行になる向きに前記原稿シートが載置されていることを検出した場合に、前記給紙トレイから前記記録紙を前記記録副走査方向に移動させ、前記読取部が読み取った読取画像を用いて前記記録主走査方向に画像形成を行うよう指示し、
前記第１サイズの記録紙が設定された場合であって、前記原稿シートの短辺が前記読取主走査方向と平行になる向きに前記原稿シートが載置されていることを検出した場合に、前記原稿シートの長辺が前記読取主走査方向と平行になる向きに前記原稿シートを載置するように前記表示部に表示させる指示処理と、
を実行する、画像処理装置。
【発明の詳細な説明】
【技術分野】
【０００１】
本発明は、原稿シートを読み取って記録紙に読取画像を画像形成する技術に関する。
【背景技術】
【０００２】
従来から、読取部と画像形成部を有し、読取部によって原稿シートの画像を読み取り、読み取った読取画像を用いて画像形成部で記録紙に画像形成を行う、いわゆるコピー機能を有する画像処理装置が知られている。この装置では、読取部は読取部の主走査方向（読取主走査方向）に原稿シートを読み取り、画像形成部は記録紙に対して画像形成の主走査方向（記録主走査方向）に画像形成を行う。
【先行技術文献】
【特許文献】
【０００３】
【特許文献１】特開２０１２−１１９９１９号公報
【発明の概要】
【発明が解決しようとする課題】
【０００４】
画像処理装置では、原稿シートの画像を記録紙にコピーする場合、読取部における読取主走査方向と原稿シートの長辺の向きとの関係と、画像形成部における記録主走査方向と記録紙の長辺の向きとの関係とが一致するか否かが問題となることがある。例えば、画像形成部において、記録紙の長辺が記録主走査方向と平行に載置される場合を考える。この場合、読取部において、原稿シートの長辺が読取主走査方向と平行となるように載置されていると、読取部において原稿シートの長辺に沿って原稿シートの画像読み取り、読み取った読取画像を用いて、画像形成部において記録紙の長辺に沿って記録紙に画像形成を行うことができる。
【０００５】
その一方、読取部において、原稿シートの短辺が読取主走査方向と平行となるように載置されていると、原稿シート１枚分の読取画像を全て記録部に取り込んだ後に、原稿シートの短辺に沿って読み取った読取画像を原稿シートの長辺に沿うように回転処理を実行する必要があった。そのため、回転処理によって、読取画像の画質が低下する問題が生じていた。また、原稿シート１枚分の読取画像を全て記録部に取り込み、回転処理を実行するまでは画像形成部において画像形成を行うことができず、コピーに必要な時間が長期化する問題が生じていた。
【０００６】
本明細書では、原稿シートを読み取って記録紙に読取画像を画像形成する装置において、読取画像の画質低下を抑制する技術を提供する。
【課題を解決するための手段】
【０００７】
本明細書によって開示される画像処理装置は、記録紙給紙トレイと、画像形成を行う画像形成部と、読取主走査方向に読み取る読取部と、原稿シートの長辺が前記読取主走査方向と平行になる向き、又は、前記原稿シートの短辺が前記読取主走査方向と平行になる向き、のいずれの向きに載置されているかを検出する検出部と、表示部と、制御部と、を備え、前記記録紙給紙トレイは、長辺が記録主走査方向と平行となる向きに記録紙が載置され、前記画像形成部は、前記記録紙給紙トレイから記録副走査方向に移動された前記記録紙に対して、前記記録主走査方向に画像形成し、前記読取部は、読取副走査方向に相対移動された前記原稿シートを読み取り、前記制御部は、前記原稿シートの長辺が前記読取主走査方向と平行になる向きに前記原稿シートが載置されていることを検出した場合、前記給紙トレイから前記記録紙を前記記録副走査方向に移動させ、前記読取部が読み取った読取画像を用いて前記記録主走査方向に画像形成を行うよう指示し、前記原稿シートの短辺が前記読取主走査方向と平行になる向きに前記原稿シートが載置されていることを検出した場合、前記原稿シートの長辺が前記読取主走査方向と平行になる向きに前記原稿シートを載置するように前記表示部に表示させる指示処理、を実行する。
【０００８】
この画像処理装置では、記録紙給紙トレイにおいて記録紙の長辺が記録主走査方向と平行となる向きに記録紙が載置され、画像形成部において記録紙の長辺に沿って画像形成が行われる。この場合において、読取部において原稿シートの長辺が読取主走査方向と平行となる向きに原稿シートが載置されていない場合には、当該平行になる向きに原稿シートを載置し直すように、表示部を用いて使用者に促す。これに従って、使用者が原稿シートの向きを変更した場合には、読取部が原稿シートの長辺に沿って読み取った読取画像を用いて、回転処理を実行することなく、画像形成部において画像形成を行うことができ、回転処理により読取画像の画質が低下することを抑制することができる。また、回転処理を実行する場合のように、原稿シート１枚分の読取画像を全て読み取ってから画像形成を行う必要がなく、回転処理を実行する場合に比べて、原稿シートの読み取りから記録紙への画像形成までの時間を短縮することができる。
【０００９】
また、上記の画像処理装置では、前記読取主走査方向は、前記記録副走査方向と平行であり、前記読取副走査方向は、前記記録主走査方向と平行である構成としても良い。
【００１０】
使用者は、一般に、画像処理装置に対して原稿シートと記録紙の長辺を揃えて載置する傾向がある。そのため、読取部と画像形成部の主走査方向が平行でないと、記録紙給紙トレイに長辺が記録主走査方向と平行となる向きに記録紙が載置された場合、原稿シートの長辺も記録主走査方向と平行、つまり、原稿シートの短辺が読取主走査方向と平行になる向きに載置される事象が生じやすい。この画像処理装置では、原稿シートの短辺が読取主走査方向と平行になる向きに載置されていることが検出された場合には、表示部を用いて使用者に原稿シートの向きを変更するように促すので、読取画像の画質が低下することを抑制することができる。
【００１１】
また、上記の画像処理装置では、更に、供給トレイと、前記供給トレイに載置された前記原稿シートを搬送経路に沿って搬送する第１搬送部と、を備え、前記読取部は、前記第１搬送部によって搬送される前記原稿シートを前記搬送経路上の読取位置で読み取る構成としても良い。
【００１２】
この画像処理装置によれば、原稿シートを搬送して読み取る場合に、読取画像の画質が低下することを抑制することができる。
【００１３】
また、上記の画像処理装置では、更に、表面に前記原稿シートが載置される光透過部材と、前記読取部を前記読取副走査方向に移動させる第２搬送部と、を備え、前記読取部は、前記光透過部材に載置された前記原稿シートを前記読取副走査方向に移動しながら読み取る構成としても良い。
【００１４】
この画像処理装置によれば、原稿シートを光透過部部材上に載置して読み取る場合に、読取画像の画質が低下することを抑制することができる。
【００１５】
また、上記の画像処理装置では、更に、前記読取画像を記憶する記憶部、を備え、前記読取部は、前記原稿シートを前記読取副走査方向に複数の読取領域に分割した各読取領域毎に読み取り、前記画像形成部は、前記各読取領域に対応した各画像形成領域毎に画像形成を行い、前記制御部は、更に、前記指示処理において前記画像形成部に画像形成が指示された場合に、前記各読取領域が読み取られる毎に、対応する前記各画像形成領域の画像形成を前記画像形成部に指示する画像形成処理、を実行する構成としても良い。
【００１６】
この画像処理装置によれば、画像形成部は、読取部が各読取領域を読み取る毎に画像形成を行うので、原稿シートの読み取りから記録紙への画像形成までの時間を短縮することができる。また、記憶部には、１個、或は、読取部と画像形成部との実行速度差を考慮して数個の読取領域分の読取画像しか記憶されないことから、記憶部に必要な容量を抑制することができる。
【００１７】
また、上記の画像処理装置では、前記制御部は、更に、動作モードの指示を受け付ける受付処理、を実行し、前記受付処理において高速モードの指示を受け付けた場合に、前記指示処理を実行する構成としても良い。
【００１８】
この画像処理装置によれば、原稿シートを読み取って記録紙に読取画像を画像形成する場合に、使用者は動作モードを指示することができる。そして、高速モードが選択された場合には、必要に応じて使用者に原稿シートの載置し直しを促し、使用者の指示に従って、原稿シートの読み取りから記録紙への画像形成までの時間を短縮することができる。
【００１９】
本明細書によって開示される画像処理装置は、また、記録紙給紙トレイと、画像形成を行う画像形成部と、読取主走査方向に読み取る読取部と、原稿シートの長辺が前記読取主走査方向と平行になる向き、又は、前記原稿シートの短辺が前記読取主走査方向と平行になる向き、のいずれの向きに載置されているかを検出する検出部と、表示部と、制御部と、を備え、前記記録紙給紙トレイは、長辺が記録主走査方向と平行となる向きに載置される第１サイズの記録紙、及び、短辺が前記記録主走査方向と平行となる向きに載置される第２サイズの記録紙が、載置可能であり、前記画像形成部は、前記記録紙給紙トレイから記録副走査方向に移動された前記記録紙に対して、前記記録主走査方向に画像形成し、前記読取部は、読取副走査方向に相対移動された前記原稿シートを読み取り、前記制御部は、前記記録紙のサイズを受け付ける受付処理と、前記第１サイズの記録紙が設定された場合であって、前記原稿シートの長辺が前記読取主走査方向と平行になる向きに前記原稿シートが載置されていることを検出した場合に、前記給紙トレイから前記記録紙を前記記録副走査方向に移動させ、前記読取部が読み取った読取画像を用いて前記記録主走査方向に画像形成を行うよう指示し、前記第１サイズの記録紙が設定された場合であって、前記原稿シートの短辺が前記読取主走査方向と平行になる向きに前記原稿シートが載置されていることを検出した場合に、前記原稿シートの長辺が前記読取主走査方向と平行になる向きに前記原稿シートを載置するように前記表示部に表示させる指示処理と、を実行する構成としても良い。
【００２０】
この画像処理装置では、記録紙給紙トレイにおいて記録紙のサイズによって記録紙が載置される向きが決まっており、記録紙のサイズによって記録紙の長辺と短辺のいずれかに沿って画像形成が行われるかが決定される。そして、記録紙の長辺が記録主走査方向と平行となる向きに載置され、画像形成部において記録紙の長辺に沿って画像形成が行われる場合において、読取部において原稿シートの長辺が読取主走査方向と平行となる向きに原稿シートが載置されていない場合には、当該平行になる向きに原稿シートを載置し直すように、表示部を用いて使用者に促す。これに従って、使用者が原稿シートの向きを変更した場合には、読取部が原稿シートの長辺に沿って読み取った読取画像を用いて、回転処理を実行することなく、画像形成部において画像形成を行うことができ、回転処理により読取画像の画質が低下することを抑制することができる。また、回転処理を実行する場合のように、原稿シート１枚分の読取画像を全て読み取ってから画像形成を行う必要がなく、回転処理を実行する場合に比べて、原稿シートの読み取りから記録紙への画像形成までの時間を短縮することができる。
【発明の効果】
【００２１】
本明細書によって開示される画像処理装置では、原稿シートを読み取って記録紙に読取画像を画像形成する装置において、読取画像の画質低下を抑制することができる。
【図面の簡単な説明】
【００２２】
【図１】画像処理装置の概略的な斜視図
【図２】原稿搬送ユニット及び読取ユニットの内部構成を示す上面図
【図３】本体ユニットの内部構成を示す上面図
【図４】画像処理装置の電気的構成を概略的に示すブロック図
【図５】コピー処理を示すフローチャート
【図６】高速コピー処理を示すフローチャート
【図７】第１コピー処理を示すフローチャート
【図８】第２コピー処理を示すフローチャート
【図９】読取画像の回転処理を説明する図
【発明を実施するための形態】
【００２３】
＜実施形態＞
一実施形態を、図１から図９を用いて説明する。
【００２４】
１．複合機の機械的構成
図１は、本実施形態の画像処理装置の一例である複合機１の斜視図である。この複合機１は、プリンタ機能、スキャナ機能、ファクシミリ機能などを備える他、原稿シートＧを読み取り、読み取った読取画像を記録紙Ｈに画像形成を行う、いわゆるコピー機能を備えた多機能周辺装置である。
【００２５】
図１に示すように、複合機１は、本体ユニット２と、読取ユニット３と、原稿搬送ユニット４とがこの順に上側に搭載されて構成されている。本体ユニット２は、記録紙トレイ１３、画像形成部３１を備える他、後述する中央処理装置（以下、ＣＰＵ）７０（図４参照）等を備える。また、本体ユニット２は、記録紙搬送経路３５（図３参照）に沿って記録紙Ｈを搬送する機能を有する記録紙搬送部４３を備える。記録紙トレイ１３は、記録紙給紙トレイの一例である。
【００２６】
読取ユニット３は、本体ユニット２の上面全面を覆っており、読取部２１を備える他、その上面に透明なガラス板からなるプラテンガラス１４等を備える。また、読取ユニット３は、読取部２１を左右方向に移動させる読取搬送部４２を備える。プラテンガラス１４は、光透過部材の一例であり、読取搬送部４２は、第２搬送部の一例である。
【００２７】
更に、読取ユニット３には、電源スイッチやスタートキーなどの各種設定ボタンからなり、使用者からの操作指令等を受け付ける操作部８、ＬＥＤや液晶ディスプレイからなり複合機１の状況を表示する表示部９等が設けられている。
【００２８】
原稿搬送ユニット４は、読取ユニット３の上面全面を覆っており、読取ユニット３の上面を開閉可能に構成されている。原稿搬送ユニット４は、原稿搬送経路２６（図２参照）に沿って原稿シートＧを自動で搬送する原稿自動送り機能（ＡＤＦ）を有する原稿搬送部４１を備える他、上面カバー１１、原稿台１２、原稿ガイド１５等を備える。原稿搬送部４１は、第１搬送部の一例であり、原稿台１２は、供給トレイの一例である。
【００２９】
上面カバー１１は、原稿搬送ユニット４の上面に設けられており、その右端近傍に設けられた軸線を中心として、原稿搬送ユニット４に対し開閉可能に構成されている。上面カバー１１を開位置へ変位させると、原稿搬送ユニット４の左側上部が開放される。そして、開位置に変位した上面カバー１１によって、排出トレイが構成される。原稿搬送部４１は、原稿台１２に載置された原稿シートＧを原稿搬送経路２６に沿って搬送し、開位置に変位した上面カバー１１上に排出する。
【００３０】
（原稿搬送ユニット及び読取ユニット）
次に、原稿搬送ユニット４及び読取ユニット３の内部構成について説明する。
原稿搬送部４１は、原稿搬送ユニット４に配置されており、図２に示すように、供給ローラ２４や原稿搬送ローラ２５などの各種ローラを含む。各種ローラは、モータＭ１（図４参照）によって回転し、原稿台１２に載置された原稿シートＧを開位置に変位した上面カバー１１へと搬送する。つまり、原稿搬送ユニット４では、各種ローラによって原稿シートＧを原稿台１２から開位置に変位した上面カバー１１へと搬送する原稿搬送経路２６が設けられている。
【００３１】
読取部２１は、読取ユニット３内に配置されており、複合機１の前後方向に平行な読取主走査方向Ｄ１に広がって形成されている。読取部２１内には、発光ダイオードなどの光源２２や受光素子２３等が読取主走査方向Ｄ１に直線状に配列されており、原稿搬送部４１によって複合機１の左右方向に平行な読取副走査方向Ｄ２に搬送される原稿シートＧを、原稿搬送経路２６上の読取位置Ｌで読取主走査方向Ｄ１に読み取る。
【００３２】
また、読取部２１は、読取ユニット３内に配置された読取搬送部４２によって、プラテンガラス１４の下側を読取副走査方向Ｄ２に移動可能に支持されている。図２に示すように、読取搬送部４２は、読取部２１から伸びる軸が固定される搬送ベルト２７及びローラ２８等を含む。ローラ２８は、モータＭ２（図４参照）によって回転し、回転により搬送ベルト２７を読取副走査方向Ｄ２に移動させる。読取部２１は、読取搬送部４２によって読取副走査方向Ｄ２に移動しながらプラテンガラス１４上に静止して載置された原稿シートＧを読み取る。なお、以下の説明において、特に記載がない場合には、読取位置Ｌに静止した読取部２１の状態及び動作を説明しているものとする。
【００３３】
さらに、原稿搬送ユニット４には、原稿サイズ検知センサ１７、フロントセンサ（以下、Ｆセンサ）１８、リアセンサ（以下、Ｒセンサ）１９が設けられている。Ｆセンサ１８は、原稿台１２に配置されるとともに読取主走査方向Ｄ１において中心線５０近傍に配置されており、原稿台１２に原稿シートＧが載置されたか否かを検出する。原稿サイズ検知センサ１７は、読取副走査方向Ｄ２においてＦセンサ１８と同一位置に配置されるとともに、読取主走査方向Ｄ１において中心線５０から基準距離離れて配置されている。
【００３４】
そのため、原稿台１２では、原稿サイズ検知センサ１７を用いて、原稿シートＧの載置向きを検出することができる。原稿台１２では、図２に二点鎖線で示すように、原稿シートＧの短辺が読取主走査方向Ｄ１と平行となる横向きに載置することができる他、矢印５１で示す原稿ガイド１５の可動範囲内において、図２に実線で示すように、原稿シートＧの長辺が読取主走査方向Ｄ１と平行となる縦向きに載置することができる。具体的には、Ａ４原稿サイズやレター原稿サイズ以下の原稿サイズであれば、原稿台１２に原稿シートＧを縦向きに載置することができる。
【００３５】
そして、原稿シートＧが横向きに載置された場合、原稿シートＧは原稿サイズ検知センサ１７に対向することから、原稿サイズ検知センサ１７はオンする。その一方、原稿シートＧが縦向きに載置された場合、原稿シートＧは原稿サイズ検知センサ１７に対向して配置されず、原稿サイズ検知センサ１７はオフする。従って、原稿サイズ検知センサ１７の状態から原稿シートＧの載置向きが検出される。原稿サイズ検知センサ１７は、検出部の一例である。
【００３６】
また、Ｒセンサ１９は、原稿搬送経路２６において読取位置Ｌよりも上流側の検出位置Ｙに配置されるとともに読取主走査方向Ｄ１において中心線５０近傍に配置されている。Ｒセンサ１９は、原稿シートＧが原稿搬送経路２６上の検出位置Ｙを通過する場合にオンし、原稿シートＧが検出位置Ｙを通過していない場合にオフする。つまり、Ｒセンサ１９は、原稿搬送経路２６上の検出位置Ｙを通過する原稿シートＧを検出する。
【００３７】
（本体ユニット）
次に、本体ユニット２の内部構成について説明する。
図３に示すように、記録紙搬送部４３は、給紙ローラ３６や記録紙搬送ローラ３７などの各種ローラを含む。各種ローラは、モータＭ３（図４参照）によって回転し、記録紙トレイ１３に載置された記録紙Ｈを画像形成部３１へと搬送する。つまり、本体ユニット２では、各種ローラによって記録紙Ｈを記録紙トレイ１３から画像形成部３１へと搬送する記録紙搬送経路３５が設けられている。
【００３８】
画像形成部３１は、トナー等を用いて記録紙Ｈに画像を形成する形成ヘッド３２、形成ヘッド３２が固定される搬送ベルト３３、及びローラ３４等を含む。ローラ３４は、モータＭ４（図４参照）によって回転し、回転により搬送ベルト３３を複合機１の左右方向に平行な記録主走査方向Ｄ３に移動させる。画像形成部３１は、記録紙搬送部４３によって複合機１の前後方向に平行な記録副走査方向Ｄ４に搬送される記録紙Ｈに対して、矢印５２で示すように形成ヘッド３２を記録主走査方向Ｄ３に移動させながら、記録主走査方向Ｄ３に画像形成を行う。
【００３９】
つまり、本実施形態の複合機１では、記録主走査方向Ｄ３と読取副走査方向Ｄ２がお互いに平行に設定されており、記録副走査方向Ｄ４と読取主走査方向Ｄ１がお互いに平行に設定されている。
【００４０】
そして、記録紙トレイ１３では、記録紙Ｈの用紙サイズによって、記録紙Ｈの載置向きが決まっており、図３に実線で示すように、Ａ４用紙サイズの記録紙Ｈを、記録紙Ｈの長辺が記録主走査方向Ｄ３と平行となる横向きに載置することができる。また、図３に二点鎖線で示すように、Ａ３用紙サイズの記録紙Ｈを、記録紙Ｈの短辺が記録主走査方向Ｄ３と平行となる縦向きに載置することができる。Ａ４用紙サイズは、第１サイズの一例であり、Ａ３用紙サイズは、第２サイズの一例である。
【００４１】
そのため、記録紙トレイ１３にＡ４用紙サイズの記録紙Ｈが載置された場合、記録紙Ｈの長辺が記録主走査方向Ｄ３と平行に、すなわち、複合機１の左右方向と平行となる向きに載置される。これに併せて、図２に二点鎖線で示すように、原稿台１２に原稿シートＧの長辺が複合機１の左右方向と平行となる向きに、すなわち、記録紙Ｈの短辺が読取主走査方向Ｄ１と平行に載置されると、原稿シートＧが縦向きに載置されるのに対して、記録紙Ｈが横向きに載置され、原稿シートＧと記録紙Ｈの載置向きが一致しない。
【００４２】
原稿シートＧと記録紙Ｈの載置向きが一致しないと、原稿シートＧを読み取り、読み取った読取画像を記録紙Ｈに画像形成を行う際に、読取画像に回転処理を加える必要がある。例えば、読取部２１が縦向きに載置され原稿シートＧを原稿シートＧの短辺に沿って読み取った読取画像を、画像形成部３１が横向きに載置され記録紙Ｈに記録紙Ｈの長辺に沿って画像形成を行う場合に、短辺に沿った読取画像を長辺に沿った読取画像へと回転処理を加える必要がある。
【００４３】
また、読取部２１が横向きに載置され原稿シートＧを原稿シートＧの長辺に沿って読み取った読取画像を、画像形成部３１が縦向きに載置され記録紙Ｈに記録紙Ｈの短辺に沿って画像形成を行う場合に、長辺に沿った読取画像を短辺に沿った読取画像へと回転処理を加える必要がある。読取画像に回転処理を加えると、回転処理を加えない場合に比べて、読取画像の読取画質が低下する。そのため、本実施形態の複合機１では、以下に説明するコピー処理において、原稿シートＧと記録紙Ｈの載置向きが一致しない場合、表示部９を用いて、使用者に原稿シートＧの載置向きを変更するように指示する処理を含む。
【００４４】
２．複合機の電気的構成
図２に示すように、複合機１は、ＣＰＵ７０、画像処理部７２、第１デバイス制御部７３、アナログフロントエンド（以下、ＡＦＥ）７４、第２デバイス制御部７５、ＲＯＭ７６、ＲＡＭ７７、第１駆動回路７８、第２駆動回路７９等を備え、これらにバス８０を介して、操作部８、表示部９、及び各種センサ１７、１８、１９が接続されている。図１０に点線７１で示すように、ＣＰＵ７０と、ＲＯＭ７６とを含めたものは、制御部の一例であり、ＲＡＭ７７は、記憶部の一例である。
【００４５】
ＲＯＭ７６には、複合機１の動作を制御するための各種のプログラムが記憶されており、ＣＰＵ７０は、ＲＯＭ７６から読み出したプログラムに従って各部の制御を行うとともに、後述するコピー処理を実行する。
【００４６】
第１デバイス制御部７３は、読取部２１に接続されており、ＣＰＵ７０からの命令に基づいて読取制御信号を読取部２１に送信する。読取部２１は、第１デバイス制御部７３からの読取制御信号に基づいて原稿シートＧを読み取る。
【００４７】
読取部２１は、原稿搬送経路２６を搬送される原稿シートＧを読み取る際に、読取位置Ｌにおいて、読取主走査方向Ｄ１に複数回読み取りを繰り返す。読取部２１は、１回の読取主走査方向Ｄ１の読み取りで、図２に示す読取領域ＹＲの単位読取画像を生成する。読取部２１は、読取主走査方向Ｄ１に読み取りを繰り返すことで、複数の読取領域ＹＲに対応する複数の単位読取画像が読取副走査方向Ｄ２に集まって構成される読取画像を生成し、取得した読取画像をＡＦＥ７４に出力する。
【００４８】
ＡＦＥ７４は、読取部２１に接続されており、ＣＰＵ７０からの命令に基づいて、読取部２１から出力されるアナログ信号の読取画像をデジタル信号、つまり階調データの読取画像に変換する。ＡＦＥ７４は、変換した読取画像を、バス８０を介してＲＡＭ７７に記憶する。
【００４９】
画像処理部７２は、ＣＰＵ２０からの命令に基づいて、ＲＡＭ７７に記憶された読取画像に対して、２値化処理やエンハンス処理等のエッジ抽出処理等を実行する。また、画像処理部７２は、原稿シートＧと記録紙Ｈの載置向きが一致しない場合であって、ＣＰＵ２０からの命令を受けた場合に、ＲＡＭ７７に記憶された読取画像に対して回転処理を実行する。
【００５０】
第２デバイス制御部７５は、画像形成部３１に接続されており、ＣＰＵ７０からの命令に基づいて画像形成制御信号を読取部２１に送信する。画像形成部３１は、第２デバイス制御部７５からの画像形成制御信号に基づいて記録紙Ｈに画像形成を行う。
【００５１】
画像形成部３１は、記録紙搬送経路３５を搬送される記録紙Ｈに画像形成を行う際に、
記録主走査方向Ｄ３に複数回画像形成を繰り返す。そして、原稿シートＧを読み取り、読み取った読取画像を記録紙Ｈに画像形成を行う際には、単位読取画像が生成される毎に、記録主走査方向Ｄ３に画像形成を繰り返す。画像形成部３１は、１回の記録主走査方向Ｄ３の画像形成で、単位読取画像に対応した画像形成領域ＧＲ（図３参照）の画像形成を行う。
【００５２】
第１駆動回路７８は、モータＭ１、Ｍ２にそれぞれ接続され、ＣＰＵ７０から入力されるパルス信号に基づいて各モータＭ１、Ｍ２を回転駆動する。第２駆動回路７９は、モータＭ３、Ｍ４にそれぞれ接続され、ＣＰＵ７０から入力されるパルス信号に基づいて各モータＭ３、Ｍ４を回転駆動する。モータＭ１〜Ｍ４は、パルス信号の１パルスで、１ステップの回転角度分、回転駆動する。モータＭ１が１ステップ分駆動すると、原稿搬送部４１を構成する各種ローラが所定角度回転し、原稿搬送経路２６上を原稿シートＧが第１規定距離だけ搬送される。
【００５３】
同様に、モータＭ２が１ステップ分駆動すると、読取搬送部４２を構成するローラ２８が所定角度回転し、読取部２１を読取副走査方向Ｄ２に第２規定距離だけ移動させる。モータＭ３が１ステップ分駆動すると、記録紙搬送部４３を構成する各種ローラが所定角度回転し、記録紙搬送経路３５上を記録紙Ｈが第３規定距離だけ搬送される。モータＭ４が１ステップ分駆動すると、画像形成部３１を構成するローラ３４が所定角度回転し、形成ヘッド３２を記録主走査方向Ｄ３に第４規定距離だけ移動させる。以後、ＣＰＵ７０がモータＭ１〜Ｍ４に送信するパルス信号のパルスの数を、ステップ数ＳＰと呼ぶ。
【００５４】
３．コピー処理
次に、図５から図９を参照して、原稿シートＧを読み取り、読み取った読取画像を記録紙Ｈに画像形成を行うコピー処理について説明する。本実施形態では、使用者からの指示に基づいて、原稿台１２に載置された原稿シートＧを、原稿搬送部４１を用いて原稿搬送経路２６に沿って自動搬送させながら原稿シートＧを読み取る、いわゆるＡＤＦ読取が実行される場合のコピー処理について説明する。
【００５５】
図５に示すように、ＣＰＵ７０は、操作部８を介して使用者からコピー指示が入力されると、コピー処理を開始する。ＣＰＵ７０は、コピー指示に併せて入力された原稿シートＧの原稿サイズ、記録紙Ｈの用紙サイズ、及び高速モードや高品質モード等の動作モードなどの動作設定の指示を受け付ける（Ｓ２）。本実施形態では、記録紙Ｈの用紙サイズがＡ４用紙サイズに設定されており、記録紙トレイ１３にＡ４用紙サイズの記録紙Ｈが横向きに載置されている。
【００５６】
次に、ＣＰＵ７０は、受け付けた動作設定を確認する（Ｓ４、Ｓ６）。ＣＰＵ７０は、原稿シートＧの原稿サイズがＡ４サイズ、或は、レターサイズに設定されており、且つ、動作モードが高速モードに設定されている場合（Ｓ４：ＹＥＳ、Ｓ６：ＹＥＳ）、表示部９を用いて、使用者に原稿シートＧを横向きに載置する旨を表示し、高速コピー処理を実行する（Ｓ１０）。
【００５７】
（高速コピー処理）
図６に示すように、高速コピー処理において、ＣＰＵ７０は、まず、使用者によりスタートキーが押されるのを待機する（Ｓ２２：ＮＯ）。ＣＰＵ７０は、使用者により原稿台１２に原稿シートＧが載置され、スタートキーが押されると（Ｓ２２：ＹＥＳ）、原稿サイズ検知センサ１７の状態を確認する（Ｓ２４）。ＣＰＵ７０は、原稿サイズ検知センサ１７がオフしている場合（Ｓ２４：ＮＯ）、原稿台１２に原稿シートＧが縦向きに載置されていることを検出する。この場合、原稿シートＧと記録紙Ｈの載置向きが一致しない場合しないことから、ＣＰＵ７０は、表示部９に対して、原稿台１２に原稿シートＧを横向きに載置するエラーを表示させるように指示し（Ｓ２６）、Ｓ２２からの処理を繰り返す。
【００５８】
一方、原ＣＰＵ７０は、原稿サイズ検知センサ１７がオンしている場合（Ｓ２４：ＹＥＳ）、原稿台１２に原稿シートＧが横向きに載置されていることを検出する。この場合、原稿シートＧと記録紙Ｈの載置向きが一致していることから、原稿シートＧの読み取り、及び記録紙Ｈへの画像形成を開始する。
【００５９】
ＣＰＵ７０は、まず、原稿搬送部４１に対して原稿シートＧの搬送を指示し、原稿シートＧの搬送を開始させる（Ｓ２８）。原稿シートＧの搬送開始後、ＣＰＵ７０は、Ｒセンサ１９がオンするのを待機する。そして、Ｒセンサ１９がオンすると、ＣＰＵ７０は、原稿搬送経路２６に沿った検出位置Ｙと読取位置Ｌの間の距離に相当する第１ステップ数ＳＰ１、原稿シートＧを更に搬送させ、読取部２１に対して原稿シートＧの読み取りを指示する（Ｓ３０）。これにより、読取部２１は、読取主走査方向Ｄ１に読み取りを行い、単位読取画像がＲＡＭ７７に記憶される。
【００６０】
ＣＰＵ７０は、ＲＡＭ７７に単位読取画像が記憶されると、記録紙搬送部４３に対して記録紙Ｈの搬送を指示し（Ｓ３２）、画像形成部３１に対して記録紙Ｈへ画像形成を行うように指示する（Ｓ３４）。つまり、画像形成部３１は、読取部２１が原稿シートＧを読み取っている間に、記録紙Ｈへの画像形成を開始させる。これにより、画像形成部３１は、ＲＡＭ７７に記憶された単位読取画像を用いて、当該単位読取画像に対応した画像形成領域ＧＲに画像形成を行う。
【００６１】
ＣＰＵ７０は、これ以降、原稿シートＧの読み取り、及び記録紙Ｈへの画像形成を繰り返させ、単位読取画像が読み取られる毎に、対応した画像形成領域ＧＲの画像形成を行うように指示する。
【００６２】
また、原稿シートＧの読取開始後、ＣＰＵ７０は、Ｒセンサ１９を用いて原稿シートＧの読み取りが終了するのを監視し、原稿シートＧの読み取りが継続している間は（Ｓ３６：ＮＯ）、Ｓ３０からの処理を繰り返す。そして、ＣＰＵ７０は、Ｒセンサ１９がオフし、更に第１ステップ数ＳＰ１、原稿シートＧが搬送されると、原稿シートＧの読み取りを終了するために、読取部２１に対して原稿シートＧの読取終了を指示する（Ｓ３６：ＹＥＳ）。
【００６３】
なお、記録紙Ｈへの画像形成は、原稿シートＧの読取終了に伴ってＲＡＭ７７への単位読取画像の記憶が終了すると終了する。また、記録紙Ｈの搬送は、記録紙Ｈへの画像形成が終了すると、更に一定距離だけ記録紙Ｈを搬送した後に終了する。
【００６４】
次に、ＣＰＵ７０は、Ｆセンサ１８の状態を確認する（Ｓ３８）。ＣＰＵ７０は、Ｆセンサ１８がオンしており、原稿台１２に未読取の原稿シートＧが残っている場合（Ｓ３８：ＹＥＳ）、次の原稿シートＧに対してＳ３０からの処理を繰り返す。一方、Ｆセンサ１８がオフしており、原稿台１２に未読取の原稿シートＧが残っていない場合（Ｓ３８：ＮＯ）、原稿搬送部４１に対して原稿シートＧの搬送終了を指示し（Ｓ４０）、高速コピー処理及びコピー処理を終了する。
【００６５】
一方、図５に示すように、ＣＰＵ７０は、原稿シートＧの原稿サイズがＡ４サイズとレターサイズのいずれでもない場合（Ｓ４：ＮＯ）、或は、原稿シートＧの原稿サイズがＡ４サイズ、或は、レターサイズに設定されているものの、動作モードが高速モードに設定されていない場合（Ｓ４：ＹＥＳ、Ｓ６：ＮＯ）、使用者によりスタートキーが押されるのを待機する（Ｓ１２：ＮＯ）。
【００６６】
ＣＰＵ７０は、スタートキーが押されると（Ｓ１２：ＹＥＳ）、原稿サイズ検知センサ１７の状態を確認する（Ｓ１４）。ＣＰＵ７０は、原稿サイズ検知センサ１７がオンしている場合（Ｓ２４：ＮＯ）、第１コピー処理を実行する（Ｓ１６）。一方、原稿サイズ検知センサ１７がオフしている場合（Ｓ２４：ＹＥＳ）、第２コピー処理を実行する（Ｓ１８）。
【００６７】
（第１コピー処理）
第１コピー処理が実行される場合、原稿サイズ検知センサ１７がオンしており、原稿台１２に載置された原稿シートＧが読取主走査方向Ｄ１において比較的広い幅を有している。そのため、当該原稿シートＧを読み取って、記録紙トレイ１３に横向きに載置された記録紙Ｈに対して画像形成を行う際に、読取画像に対して回転処理を実行する必要がない。
【００６８】
図７に示すように、第１コピー処理において、ＣＰＵ７０は、Ｓ５２〜Ｓ６４の各処理を実行する。第１コピー処理のＳ５２〜Ｓ６４の各処理は、図６に示す高速コピー処理のＳ２８〜Ｓ４０の処理に等しく、重複した記載を省略する。ＣＰＵ７０は、第１コピー処理を終了すると、コピー処理を終了する。
【００６９】
（第２コピー処理）
次に、第２コピー処理について説明する。第２コピー処理が実行される場合、原稿サイズ検知センサ１７がオフしており、原稿台１２に載置された原稿シートＧが読取主走査方向Ｄ１において比較的狭い幅を有している。そのため、当該原稿シートＧを読み取って、記録紙トレイ１３に横向きに載置された記録紙Ｈに対して画像形成を行う際に、読取画像に対して回転処理を実行する必要がある。
【００７０】
図８に示すように、第２コピー処理において、ＣＰＵ７０は、まず、原稿搬送部４１に対して原稿シートＧの搬送を指示し、原稿シートＧの搬送を開始させる（Ｓ７２）。そして、ＣＰＵ７０は、Ｒセンサ１９がオンし、更に第１ステップ数ＳＰ１、原稿シートＧが搬送されると、読取部２１に対して原稿シートＧの読み取りを指示する（Ｓ７４）。
【００７１】
ＣＰＵ７０は、原稿シートＧの読取開始後、画像形成部３１に対して画像形成を指示することなく、原稿シートＧの読み取りが終了するまで（Ｓ７６：ＮＯ）、つまり、原稿シートＧ１枚分の読取画像がＲＡＭ７７に記憶されるまで、Ｓ７４からの処理を繰り返す。そして、ＣＰＵ７０は、原稿シートＧの読取画像がＲＡＭ７７に記憶されると、つまり、Ｒセンサ１９がオフし、更に第１ステップ数ＳＰ１、原稿シートＧが搬送されると、読取部２１に対して原稿シートＧの読取終了を指示する（Ｓ７６：ＹＥＳ）。
【００７２】
次に、ＣＰＵ７０は、画像処理部７２を用いて、ＲＡＭ７７に記憶された読取画像に対して回転処理を実行する（Ｓ７８）。具体的には、図９の上段に示すように、読取主走査方向Ｄ１に読み取られた単位読取画像が読取副走査方向Ｄ２に複数個集まって構成される読取画像を、図９の中段に示すように、読取主走査方向Ｄ１と読取副走査方向Ｄ２とが入れ替わるように、９０度回転する。更に、図９の下段に示すように、単位読取画像の枠組みを変更する。
【００７３】
これにより、回転処理前において、読取副走査方向Ｄ２に並んでおり、且つ、別々の単位読取画像に属していた画素データが、回転処理後において、読取主走査方向Ｄ１に並んだ１つの単位読取画像を構成する。読取画像は、当該単位読取画像が読取副走査方向Ｄ２に複数個集まって構成される。
【００７４】
ＣＰＵ７０は、回転処理が終了すると、記録紙搬送部４３に対して記録紙Ｈの搬送を指示し（Ｓ８０）、画像形成部３１に対して記録紙Ｈへ画像形成を行うように指示する（Ｓ８２）。これにより、画像形成部３１は、回転処理において生成された複数の単位読取画像を読取副走査方向Ｄ２に順番に用いて、画像形成を行う。
【００７５】
次に、ＣＰＵ７０は、Ｆセンサ１８の状態を確認する（Ｓ８４）。ＣＰＵ７０は、Ｆセンサ１８がオンしており、原稿台１２に未読取の原稿シートＧが残っている場合（Ｓ８４：ＹＥＳ）、次の原稿シートＧに対してＳ７４からの処理を繰り返す。一方、Ｆセンサ１８がオフしており、原稿台１２に未読取の原稿シートＧが残っていない場合（Ｓ８４：ＮＯ）、原稿搬送部４１に対して原稿シートＧの搬送終了を指示し（Ｓ８６）、第２コピー処理及びコピー処理を終了する。
【００７６】
４．本実施形態の効果
（１）本実施形態の複合機１では、記録紙トレイ１３において記録紙Ｈが横向きに載置され、画像形成部３１において記録紙Ｈの長辺に沿って画像形成が行われる。この状況において、高速コピー処理では、原稿サイズ検知センサ１７を用いて原稿台１２における原稿シートＧの載置向きが確認され、原稿シートＧが縦向きに載置されている場合には、原稿シートＧを横向きに載置し直すように、表示部９を用いて使用者に促す。これに従って、使用者が原稿シートＧの載置向きを横向きに変更した場合には、読取部２１が原稿シートＧの長辺に沿って読み取った読取画像を用いて、回転処理を実行することなく、画像形成部３１において記録紙Ｈの長辺に沿って画像形成を行うことができる。これにより、回転処理により読取画像の画質が低下することを抑制することができる。
【００７７】
（２）また、回転処理を実行しないことで、次の効果を得ることができる。つまり、回転処理を実行する場合、原稿シートＧ１枚分の読取画像を全て読み取って、回転処理を実行した後でなければ画像形成を行うことができず、原稿シートＧの読み取りから記録紙Ｈへの画像形成までの時間が長期化してしまう。
【００７８】
本実施形態の複合機１では、上記の場合に、回転処理を実行しないので、読取部２１が原稿シートＧを読み取っている間に、記録紙Ｈへの画像形成を開始させることができる。詳細には、読取部２１が各読取領域ＹＲを読み取る毎に、当該単位読取画像に対応した画像形成領域ＧＲに画像形成を行うことができる。これにより、回転処理を実行する場合に比べて、原稿シートＧの読み取りから記録紙Ｈへの画像形成までの時間を短縮することができる。
【００７９】
（３）特に、本実施形態の複合機１では、記録主走査方向Ｄ３と読取副走査方向Ｄ２がお互いに平行に設定されており、記録副走査方向Ｄ４と読取主走査方向Ｄ１がお互いに平行に設定されている。そのため、使用者が、複合機１に対して原稿シートＧと記録紙Ｈの長辺が揃うように原稿シートＧを載置、つまり、原稿台１２に原稿シートＧを縦向きに載置する事象が、記録主走査方向Ｄ３と読取主走査方向Ｄ１がお互いに平行に設定されており、記録副走査方向Ｄ４と読取副走査方向Ｄ２がお互いに平行に設定されている複合機１に比べて生じやすい。この画像処理装置では、高速コピー処理において、原稿シートＧが縦向きに載置されていることが検出された場合には、表示部９を用いて使用者に原稿シートＧを横向きに載置し直すように促すので、読取画像の画質が低下することを抑制することができる。
【００８０】
（４）本実施形態の複合機１では、使用者からコピー指示の入力に併せて動作設定が指示され、その動作設定において動作モードが指示される。そして、複合機１は、動作モードとして高速モードが選択された場合には、高速コピー処理を実行することができ、必要に応じて使用者に原稿シートＧの載置し直しを促す。これにより、使用者の動作設定の指示に従って、原稿シートＧの読み取りから記録紙Ｈへの画像形成までの時間を短縮することができる。
【００８１】
＜他の実施形態＞
本発明は上記記述及び図面によって説明した実施形態に限定されるものではなく、例えば次のような種々の態様も本発明の技術的範囲に含まれる。
（１）上記実施形態では、プリンタ機能、スキャナ機能、コピー機能、ファクシミリ機能などを備えた複合機１を用いて説明を行ったが、本発明はこれに限られず、少なくともコピー機能を備えた画像処理装置であってもよい。
【００８２】
（２）上記実施形態では、複合機１が１つのＣＰＵ７０を有し、この１つのＣＰＵ７０によって搬送読取処理等の各種処理が実行される例を用いて説明を行ったが、本発明はこれに限られない。例えば、複数のＣＰＵにより各部が構成されてもよければ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみにより各部が構成されてもよい。さらには、単数又は複数のＣＰＵ及びＡＳＩＣによって、各部が構成されてもよい。
【００８３】
（３）また、ＣＰＵ７０が実行するプログラムは必ずしもＲＯＭ７６に記憶されている必要はなく、ＣＰＵ７０自身に記憶されていてもよければ、他の記憶装置に記憶されていてもよい。
【００８４】
（４）上記実施形態では、コピー処理において、原稿シートＧがＡＤＦ読取される例について説明を行ったが、本発明はこれに限られない。例えば、読取搬送部４２によって読取部２１が読取副走査方向Ｄ２に移動しながら、プラテンガラス１４上に静止して載置された原稿シートＧを読み取る、いわゆるＦＢ読取が実行される場合に適用されてもよい。
【００８５】
（５）この場合、ＣＰＵ７０は、プラテンガラス１４上に載置された原稿シートＧを読み取るに先立って、当該原稿シートＧのサイズや載置向きを検出するための簡易的な読み取りであるプレスキャンを実行する。ＣＰＵ７０は、ＦＢ読取を実行する場合、原稿サイズ検知センサ１７に代わって、当該プレスキャンの結果に基づいて、原稿シートＧが縦向きに載置されたか、横向きに載置されたかを検出することができる。
【００８６】
（６）上記実施形態では、記録紙トレイ１３に対して、Ａ４用紙サイズの記録紙Ｈを横向きに載置することができ、Ａ３用紙サイズの記録紙Ｈを縦向きに載置することができる例について説明を行ったが、本発明はこれに限られない。例えば、記録紙トレイ１３に対して、全ての用紙サイズの記録紙Ｈが横向きに載置されるように設定されていてもよい。この場合には、動作設定において、記録紙Ｈの用紙サイズを受け付ける必要がない。
【００８７】
（７）上記実施形態では、動作設定において高速モードが選択された場合に、使用者に原稿シートＧの載置し直しを促す処理を実行する例について説明を行ったが、本発明はこれに限られない。例えば、動作設定に関わらず、原稿シートＧと記録紙Ｈの載置向きが一致しない場合には、使用者に原稿シートＧの載置し直しを促すようにしてもよい。これにより、ＣＰＵ７０は、原稿シートＧを読み取り、読み取った読取画像を用いて記録紙Ｈに画像形成を行う場合に、読取画像に対して回転処理を実行する必要がない。従って、原稿シートＧ１枚分の読取画像がＲＡＭ７７に記憶されることがないことから、ＲＡＭ７７に必要な容量を抑制することができる。
【００８８】
（８）上記実施形態では、記録紙トレイ１３に対して、記録主走査方向Ｄ３と読取副走査方向Ｄ２がお互いに平行に設定されており、記録副走査方向Ｄ４と読取主走査方向Ｄ１がお互いに平行に設定されている例について説明を行ったが、本発明はこれに限られない。例えば、記録主走査方向Ｄ３と読取主走査方向Ｄ１がお互いに平行に設定されており、記録副走査方向Ｄ４と読取副走査方向Ｄ２がお互いに平行に設定されていてもよければ、記録主走査方向Ｄ３（記録副走査方向Ｄ４）が、読取主走査方向Ｄ１と読取副走査方向Ｄ２のいずれにも平行又は垂直に設定されていなくてもよい。
【００８９】
（９）上記実施形態では、記録紙トレイ１３に記録紙Ｈが横向きに載置された場合のコピー処理において、使用者に原稿シートＧの載置し直しを促す処理を実行する例について説明を行ったが、本発明はこれに限らない。例えば、記録紙トレイ１３に記録紙Ｈが縦向きに載置された場合のコピー処理において、使用者に原稿シートＧの載置し直しを促す処理を実行されてもよい。
【００９０】
この場合、ＣＰＵ７０は、原稿サイズ検知センサ１７を用いて、原稿台１２に原稿シートＧが横向きに載置されていることを検出した場合に、原稿シートＧと記録紙Ｈの載置向きが一致しない場合しないことから、表示部９に対して、原稿台１２に原稿シートＧを縦向きに載置するエラーを表示させるように指示してもよい。
【符号の説明】
【００９１】
１：複合機
２：本体ユニット、３：読取ユニット、：４：原稿搬送ユニット、１２：原稿台、１３：記録紙トレイ、１７：原稿サイズ検知センサ、２１：読取部、２６：原稿搬送経路、３１：画像形成部、３５：記録紙搬送経路、４１：原稿搬送部、４２：読取搬送部、４３：記録紙搬送部、Ｄ１：読取主走査方向、Ｄ２：読取副走査方向、Ｄ３：記録主走査方向、Ｄ４：記録副走査方向、Ｇ：原稿シート、Ｈ：記録紙
【図１】
2014168151.tif 000003
【図２】
2014168151.tif 000004
【図３】
2014168151.tif 000005
【図４】
2014168151.tif 000006
【図５】
2014168151.tif 000007
【図６】
2014168151.tif 000008
【図７】
2014168151.tif 000009
【図８】
2014168151.tif 000010
【図９】
2014168151.tif 000011